(57)【要約】【課題】エントランスキャップと壁際の側面との間が狭い場所にあっても取付本体へのカバーの取り付けを容易に行うことができるエントランスキャップを提供する。【解決手段】外側を包み込む本体ケーシングがカバーと取付本体とによって構成され、カバーと取付本体との間にキャップを挟み込み、カバーには、背壁部の側面にネジ受け部を設けると共に、パイプ接続部形成側の取付本体との接合部に係合溝を設け、取付本体には、挿通口に突出する係止部に表裏に貫通する貫通孔を設け、キャップには、取付本体の貫通孔に連通しカバーのネジ受け部に連通する貫通穴を設け、ネジによって取付本体とキャップとカバーとを一括して固定する。【選択図】  図２
2018007416.tif 000002
【特許請求の範囲】
【請求項１】
外側を包み込む本体ケーシングがカバーと取付本体とによって構成され、
前記カバーは、配線ケーブルを挿通する挿通口を備え両側面をそれぞれ覆う側壁部と、前記側壁部に連続して該側壁部を繋ぎ上面を覆う上壁部と、前記側壁部と前記上壁部とに連続し背面を覆う背壁部とからなり、前記取付本体と接合する接合端縁に挿通口が形成されてなり、
前記取付本体は、筒状のパイプ接続部を備え、前記挿通口を形成する切り欠きに対応する部分の両端縁部に該挿通口側に突出する係止部が形成されてなり、
前記配線ケーブルを挿通する電線挿通孔を備える略矩形状の板状本体の周縁に筒状に突出する側板を備え、前記取付本体の接合端縁と前記カバーの係止部とによって挟持されるキャップを設けてなるエントランスキャップにおいて、
前記カバーには、前記背壁部の側面にネジ受け部を設けると共に、パイプ接続部形成側の前記取付本体との接合部に係合溝を設け、
前記取付本体には、前記挿通口に突出する係止部に表裏に貫通する貫通孔を設け、
前記キャップには、前記取付本体の貫通孔に連通し前記カバーのネジ受け部に連通する貫通穴を設け、
ネジによって前記取付本体と前記キャップと前記カバーとを一括して固定することを特徴とするエントランスキャップ。
【請求項２】
前記カバーの係合溝は、前記背壁部の突端の前記取付本体のパイプ接続部形成側に前記カバーの開口部を塞ぐように突出する板状突出部を設けることによって構成したものであることを特徴とする請求項１に記載のエントランスキャップ。
【請求項３】
前記キャップの貫通穴には、前記ネジに嵌合するワッシャをはめ込むワッシャー挿入部を形成してなるものであることを特徴とする請求項１又は２に記載のエントランスキャップ。
【発明の詳細な説明】
【技術分野】
【０００１】
本発明は、建屋の屋外に設置され、屋外から屋内に電力を供給するケーブルを内部に収納する保護パイプの端部に取付けるエントランスキャップに係り、特に屋外から屋内に電力を供給するケーブルを内部に収納する保護パイプの端部に取付け、電力ケーブルを保護パイプ内に引き込む際の引込部分に使用するエントランスキャップに関するものである。
【背景技術】
【０００２】
一般に、エントランスキャップ１００は、建屋の屋外等のケーブル引き込み口に取り付けて収納してある配線ケーブルをパイプから屋外に引き出すときにパイプの先端を覆うために使用するものである。このため、エントランスキャップ１００は、ケーブル取り出し口が若干下向きとなっている。すなわち、エントランスキャップ１００は、ケーブルの損傷防止したり、器具角度によって雨水がケーブルを内部に収納するパイプへ侵入するのを防止するようになっている。
従来のエントランスキャップ１００は、図１１に示すように略箱状に形成される本体ケーシングによって外側が包まれている（例えば、特許文献１参照。）。この本体ケーシングは、カバー１０１と取付本体１０２とによって構成されている。
【０００３】
カバー１０１と取付本体１０２との間には、ケーシングの屋外と面する部分に引込口面となる樹脂キャップ１０３が嵌め込まれており、取付本体１０２には、パイプ接続部１０４が形成されている。このパイプ接続部１０４は、屋外から屋内に電力を供給するケーブルを収納する図示していない保護パイプと接続するためのものである。
樹脂キャップ１０３は、板状本体１０５を備え、この板状本体１０５の周縁に筒部１０６が連設して形成されている。この板状本体１０５には、表裏に貫通する電線挿通孔１０７が一つ又は複数形成されている。
【０００４】
カバー１０１の取付本体１０２と接合する接合端縁には、挿通口１０８が切り欠き形成されている。また、取付本体１０２には、カバー１０１の挿通口１０８を形成する切り欠きに対応する部分の両端縁部に係止部１０９が形成されている。
樹脂キャップ１０３は、周縁の筒部１０６を取付本体１０２の係止部１０９に係止し、カバー１０１と取付本体１０２の接合端縁同士を接合して固定し、カバー１０１に形成されている係合部１１０に樹脂キャップ１０３の周端縁を係合させ、取付本体１０２の係止部１０９とカバー１０１の係合部１１０とによって樹脂キャップ１０３を挟持するようになっている。
【０００５】
カバー１０１と取付本体１０２とは、カバー１０１の両側の側面に設けられているネジ１１１を締め付けることによって固定するようになっている。また、取付本体１０２は、屋外から屋内に電力を供給するケーブルを内部に収納する保護パイプの端部に嵌合し、パイプ接続部１０４に取り付けられているビス１１２を締め付けて、パイプ接続部１０４を図示していない屋外から屋内に電力を供給するケーブルを収納する保護パイプに固定するようになっている。
【先行技術文献】
【特許文献】
【０００６】
【特許文献１】特開２０１１−１２０３１４号公報
【発明の概要】
【発明が解決しようとする課題】
【０００７】
このように従来のエントランスキャップ１００は、カバー１０１と取付本体１０２との組付けに当たって、屋外から屋内に電力を供給するケーブルを通した樹脂キャップ１０３を取付本体１０２の係止部１０９とカバー１０１の係合部１１０とによって挟持することによって取り付けるようになっている。このため、樹脂キャップ１０３は、カバー１０１と取付本体１０２とを組付けるまでフリーな状態となっており、取り付けが不安定となり、作業性が悪いという問題点を有している。
【０００８】
また、従来のエントランスキャップ１００は、その設置場所に壁際の場合が多く、カバー１０１と取付本体１０２との取り付けに側面のビス１１２によって固定する構造となっているため、その設置場所に壁際の場合には、エントランスキャップ１００と壁際の側面との間が狭く、取り付け難く、作業性が悪いという問題点を有している。
【０００９】
本発明は、上記した事情に鑑みてなされたもので、電線挿通孔に屋外から屋内に電力を供給するケーブルを通したキャップの取り付けを容易に行うことができ、エントランスキャップと壁際の側面との間が狭い場所にあっても取付本体へのカバーの取り付けを容易に行うことができるエントランスキャップを提供することを目的としている。
【課題を解決するための手段】
【００１０】
上記課題を解決するためになされた請求項１に記載の本発明のエントランスキャップは、外側を包み込む本体ケーシングがカバーと取付本体とによって構成され、
前記カバーは、配線ケーブルを挿通する挿通口を備え両側面をそれぞれ覆う側壁部と、前記側壁部に連続して該側壁部を繋ぎ上面を覆う上壁部と、前記側壁部と前記上壁部とに連続し背面を覆う背壁部とからなり、前記取付本体と接合する接合端縁に挿通口が形成されてなり、
前記取付本体は、筒状のパイプ接続部を備え、前記挿通口を形成する切り欠きに対応する部分の両端縁部に該挿通口側に突出する係止部が形成されてなり、
前記配線ケーブルを挿通する電線挿通孔を備える略矩形状の板状本体の周縁に筒状に突出する側板を備え、前記取付本体の接合端縁と前記カバーの係止部とによって挟持されるキャップを設けてなるエントランスキャップにおいて、
前記カバーには、前記背壁部の側面にネジ受け部を設けると共に、パイプ接続部形成側の前記取付本体との接合部に係合溝を設け、
前記取付本体には、前記挿通口に突出する係止部に表裏に貫通する貫通孔を設け、
前記キャップには、前記取付本体の貫通孔に連通し前記カバーのネジ受け部に連通する貫通穴を設け、
ネジによって前記取付本体と前記キャップと前記カバーとを一括して固定することを特徴としている。
【００１１】
本願請求項１に記載の発明によれば、電線挿通孔に屋外から屋内に電力を供給するケーブルを通したキャップを前記取付本体の係止部に形成される貫通孔にネジを挿入して仮止めした状態で前記取付本体と前記カバーとの間に挟み込むことができ、エントランスキャップと壁際の側面との間が狭い場所にあっても取付本体へのカバーの取り付けを容易に行うことのできる。
【００１２】
上記課題を解決するためになされた請求項２に記載の本発明のエントランスキャップは、請求項１に記載のエントランスキャップのカバーの係合溝を、背壁部の突端の前記取付本体のパイプ接続部形成側に前記カバーの開口部を塞ぐように突出する板状突出部を設けることによって構成したものであることを特徴としている。
【００１３】
本願請求項２に記載の発明によれば、カバーの係合溝を、取付本体のパイプ接続部形成側に端部に引っ掛けるだけでカバーを取付本体側に回動するだけでエントランスキャップの組み付けを容易にすることができる。
【００１４】
上記課題を解決するためになされた請求項３に記載の本発明のエントランスキャップは、請求項１に記載のエントランスキャップのキャップの貫通穴を、ネジに嵌合するワッシャをはめ込むワッシャー挿入部を形成してなるものであることを特徴としている。
【００１５】
本願請求項３に記載の発明によれば、取付本体の係止部に形成される貫通孔にネジを挿入し、裏側に突出したネジにワッシャを嵌合し、このワッシャをキャップのワッシャー挿入部に挿入することで、キャップを取付本体の係止部に仮止めするのを確実にすることができる。
【発明の効果】
【００１６】
本発明によれば、電線挿通孔に屋外から屋内に電力を供給するケーブルを通したキャップの取り付けを容易に行うことができ、エントランスキャップと壁際の側面との間が狭い場所にあっても取付本体へのカバーの取り付けを容易に行うことができる。
【図面の簡単な説明】
【００１７】
【図１】本発明に係るエントランスキャップの実施例を示す全体斜視図である。
【図２】図１に図示のエントランスキャップの使用状態における一部断面全体斜視図である。
【図３】図１に図示のエントランスキャップのカバーの実施例を示す全体斜視図である。
【図４】図１に図示のエントランスキャップの取付本体の上面図である。
【図５】図１に図示のエントランスキャップの取付本体の実施例を示す全体斜視図である。
【図６】図１に図示のエントランスキャップのキャップの実施例を示す全体斜視図である。
【図７】図１に図示のエントランスキャップのキャップの別な実施例を示す全体斜視図である。
【図８】図１に図示のエントランスキャップの取付本体にカバーを取り付ける状態を説明するための部分拡大図である。
【図９】図１に図示のエントランスキャップのカバーの取付本体への取り付けを説明するための図である。
【図１０】図１に図示のエントランスキャップのカバーの取付本体への取り付けを説明するための図である。
【図１１】従来のエントランスキャップを示す図である。
【発明の実施の形態】
【００１８】
以下、本発明に係るエントランスキャップの実施例について図面を用いて説明する。
図面の図１，図２、図３，図４、図５、図６には、本発明に係るエントランスキャップの第１の実施例が示されている。
【００１９】
図１において、本発明に係るエントランスキャップ１は、それぞれ二つ割れの半体となるカバー２と取付本体３とからなり、カバー２と取付本体３を組み付けると略箱状の本体ケーシング４となるように構成されている。このカバー２と取付本体３を組み付けた本体ケーシング４には、屋外に開口する面に屋外から屋内に電力を供給するケーブルを引き込むキャップ５が設けられている。
このキャップ５は、材質は金属等いずれでも良いが、作業性等を考慮すると、ポリエチレン等の樹脂で構成するのが的としている。
【００２０】
また、この本体ケーシング４の取付本体３には、屋外から屋内に挿通するように筒状のパイプ接続部６が取り付けられている。このパイプ接続部６は、本体ケーシング４を建屋の屋外等のケーブル引き込み口に取り付けられている配線ケーブル７が収納されている保護パイプ８に取り付けるためのものである。
この保護パイプ８は、止め金具９によって建屋の壁面１０に取り付けられている。
以下、本明細書においては、便宜上、キャップ５が取り付けられる引込口面の向く方を前方、パイプ接続部６が設けられる方を下方とする。
【００２１】
エントランスキャップ１は、屋の屋外等のケーブル引き込み口に取り付けて収納してある配線ケーブル７を保護パイプ８から屋外に引き出すときに保護パイプ８の先端を覆うために使用するものである。このため、エントランスキャップ１は、パイプ接続部６から内部を通り外部に取り出すためのケーブル取り出し口が若干下向きとなっている。すなわち、エントランスキャップ１は、配線ケーブル７の損傷を防止したり、器具角度によって配線ケーブル７を内部に収納する雨水が保護パイプ８の内部に侵入するのを防止するようになっている。
【００２２】
カバー２は、図３、図４に示すように構成されている。
図３、図４において、カバー２には、左右両側方に、側面を覆い矩形状に形成される側壁部１１、側壁部１２が設けられている。このカバー２には、側壁部１１、側壁部１２に挟まれて、カバー２内に取り込まれる配線ケーブル７をカバー２から外部に導出するために挿通する矩形状の挿通口１３が形成されている。
この挿通口１３の上側面には、該挿通口１３の上側面を覆い、側壁部１１と側壁部１２に建設して、両側の側壁部１１と側壁部１２とに跨がって、両側の側壁部１１と側壁部１２を繋いで上壁部１４が設けられている。
この側壁部１１の背方側の端部１１ａと、側壁部１２の背方側の端部１２ａは、直線状に形成されており、上壁部１４の背方側の端部１３ａも、直線状に形成されている。
【００２３】
上壁部１４の挿通口１３の先端側には、図２、図３に示すように、側壁部１１，側壁部１２の挿通口１３の先端側の辺部１１ｂ、１２ｂよりも挿通口１３の先方に突出する庇部１５が形成されている。この庇部１５は、屋外から屋内に電力を供給する配線ケーブル７を装着したキャップ５をカバー２と取付本体３との間に収納したときにキャップ５がカバー２への装着位置から脱落しないように保持する役目を有している。
【００２４】
カバー２の挿通口１３の両側に設けられている側壁部１１，側壁部１２と、挿通口１３の上側に設けられている上壁部１４に連続して、背面全体を覆う背壁部１６が設けられている。
この背壁部１６の上部は、図２、図３に示すように、外側に膨らむ円弧状に形成されている。
この背壁部１６と側壁部１１との接合部には、段差部１７が，側壁部１２との接合部には、段差部１８がそれぞれ形成されている。また、背壁部１６と上壁部１４との接合部には段差部１９が設けられている。さらに、背壁部１６の開放側の端部には、段差部２０が設けられている。
【００２５】
これら段差部１７と、段差部１８と、段差部１９と、段差部２０とは、繋がって、背壁部１６の開放側の端部２１を周回するように連成されている。
カバー２の背壁部１６の内側の側面部の段差部１７と面一の位置に、ネジ３２を螺合するネジ受け部１７ａが設けられている。また、カバー２の背壁部１６の内側の側面部の段差部１８と面一の位置に、ネジ３４を螺合するネジ受け部１８ａが設けられている。
このネジ受け部１７ａ、１８ａには、それぞれネジ山が切られており、ネジ受け部１７ａにネジ３２を螺合することができ、ネジ受け部１８ａにネジ３４を螺合することができるようになっている。
【００２６】
背壁部１６の開放側の端部２１は、略Ｖ字状に形成されており、背壁部１６の略Ｖ字状開放側の端部２１の先端部２１ａには、開放側の端部２１の面より上部に突出する突出部２２が設けられている。この突出部２２によって背壁部１６の略Ｖ字状開放側の端部２１の先端部２１ａには、取付本体３のパイプ接続部６が形成されている側の端部２５を係合する係合溝２３が設けられている。
この係合溝２３は、背壁部１６の略Ｖ字状開放側の端部２１の先端部２１ａに設けられている突出部２２の突出によって形成されている。すなわち、この係合溝２３は、背壁部１６の略Ｖ字状開放側の端部２１の先端部２１ａに設けられている突出部２２を、取付本体３のパイプ接続部６の形成側にカバー２の開口部を塞ぐように突出する板状突出部によって構成されている。
【００２７】
取付本体３は、図２、図５に示すように構成されている。すなわち、取付本体３は、三角形状に形成する板状部材２４を備えている。この板状部材２４の１つの頂部２４ａの近傍には、筒状に形成されるパイプ接続部６が取り付けられている。このように取付本体３にパイプ接続部６が取り付けられる側の頂部２４ａは、取付本体３のパイプ接続部６が形成される端部２５となる。
このパイプ接続部６には、屋外から屋内に電力を供給する配線ケーブル７が収納される。
このパイプ接続部６は、本体ケーシング４を保護パイプ８に取り付けるためのものである。
【００２８】
取付本体３のパイプ接続部６の形成側端部２５とは反対側の端部２６には、先端部が折り曲げられて段差部２７が形成されている。この段差部２７は、屋外から屋内に電力を供給する配線ケーブル７を装着したキャップ５を載置するようになっている。したがって、この段差部２７は、取付本体３にカバー２を装着するに当たってキャップ５が脱落しないようにキャップ５を取付本体３に仮止めする役目を有している。
取付本体３のパイプ接続部６の形成側端部２５とは反対側の端部２６の左右両端には、取付本体３の板状部材２４の一部を段差部２７の面と直交するように折り曲げて突出して形成される係止部２８、２９が設けられている。
【００２９】
この取付本体３の係止部２８、２９は、キャップ５を本体ケーシング４の前方から押さえ付けるように設けられている。すなわち、取付本体３の係止部２８、２９は、キャップ５を前方から押さえ付け、取付本体３の前方からネジ３２，３４によってネジ止めするようになっている。
このため、従来のようにエントランスキャップ１と建屋の壁面１０との間が狭くても、取付本体３の前方からネジ３２，３４によってネジ止めするようになっているため、壁面１０が邪魔になってネジ止めがし難いという事が無く、作業性を良くすることができる。
【００３０】
この係止部２８と係止部２９の２つの係止部と、端部２６とによって、カバー２内に取り込まれる配線ケーブル７をカバー２から外部に導出するために挿通する矩形状の挿通口１３が形成されている。
この挿通口１３に突出する係止部２８には、表裏に貫通する貫通孔３０が設けられ、挿通口１３に突出する係止部２９には、表裏に貫通する貫通孔３１が設けられている。この貫通孔３０にはネジ３２が嵌合されており、このネジ３２にはワッシャ３３が嵌め込まれている。また、貫通孔３１にはネジ３４が嵌合されており、このネジ３４にはワッシャ３５が嵌め込まれている。
【００３１】
キャップ５は、図２、図６に示すように構成されている。すなわち、キャップ５は、略長方形状をした板状本体３５と、該板状本体３５の周縁から下方に連設され筒状に突出する側板３６とからなり、絶縁性を有する樹脂によって構成されている。
このキャップ５は、取付本体３の係止部２８、２９と、背壁部１６の開放側の端部２１を周回する段差部１７と、段差部１８と、段差部１９と、段差部２０とによって形成されるカバー２の接合端縁とによって挟持されるようになっている。
【００３２】
キャップ５の板状本体３５の４つの隅には、それぞれネジ３２，３４を貫挿する貫通孔３７，３８，３９，４０が設けられている。この貫通孔３７，３８，３９，４０は、キャップ５をカバー２と取付本体３の間に挟み込んで係止部２８、２９に設けられている貫通孔３０，３１に装着されるネジ３２，３４によって取り付けるためのものである。
【００３３】
この貫通孔３７，３８，３９，４０は、図６に図示の実施例においては、４個所設けられているが、係止部２８、２９に設けられている貫通孔３０，３１に相当する位置に設けられていれば良いもので、２個設けられてあれば済むものである。
貫通孔を図６において、４個所設けたのは、キャップ５をカバー２と取付本体３の間に挟み込む際にキャップ５の向きを考慮せずに取り付けることができるよう、作業性を良くするためである。
【００３４】
この貫通孔３７，３８，３９，４０の外周には、図２、図６に示されるように、ネジ３２に嵌合されるワッシャ３３と、ネジ３４に嵌合されるワッシャ３５を嵌め込むため、リング状の凹部で構成されるワッシャー挿入部４１，４２，４３，４４が設けられている。
このワッシャー挿入部４１，４２，４３，４４には、ネジ３２に嵌合されるワッシャ３３と、ネジ３４に嵌合されるワッシャ３５が嵌着するようになっている。このワッシャー挿入部４１，４２，４３，４４は、屋外から屋内に電力を供給する配線ケーブル７を装着したキャップ５をカバー２と取付本体３との間に収納する際に、ネジ３２に嵌合されるワッシャ３３と、ネジ３４に嵌合されるワッシャ３５を嵌着することによって、仮止めし、取付本体３に装着したキャップ５が取付本体３の装着位置から脱落しないように防止する作用を有している。
【００３５】
キャップ５の略長方形状の板状本体３５には、円形状に同一の径の大きさに開けられた電線挿通孔４５，４６，４７が長手方向に並んで３個設けられている。この電線挿通孔４５，４６，４７には、カバー２内に取り込まれる複数の配線ケーブル７を電線挿通孔４５，４６，４７毎に分けて通すものである。
この電線挿通孔４５，４６，４７は、当初から空いているのではなく、使用時に配線ケーブル７の数に合わせて、開口できるような構成となっている。たとえば、配線ケーブル７が単相２線式２００Ｖの場合には３個、単相１００Ｖの場合には１個というように配線ケーブル７の種類に応じて使い分けができるようになっている。
【００３６】
図７には、キャップ５の別な実施例が示されている。
図７に図示のキャップ５は、略矩形状をした板状本体４８と、該板状本体４８の周縁から下方に連設され筒状に突出する側板４９とからなり、絶縁性を有する樹脂によって構成されている。
図７に図示のキャップ５は、取付本体３の係止部２８、２９と、背壁部１６の開放側の端部２１を周回する段差部１７と、段差部１８と、段差部１９と、段差部２０とによって形成されるカバー２の接合端縁とによって挟持されるようになっている。
【００３７】
キャップ５の板状本体４８の４つの隅には、それぞれネジ３２，３４を貫挿する貫通孔５０，５１，５２，５３が設けられている。この貫通孔５０，５１，５２，５３は、キャップ５をカバー２と取付本体３の間に挟み込んで係止部２８、２９に設けられている貫通孔３０，３１に装着されるネジ３２，３４によって取り付けるためのものである。
【００３８】
この貫通孔５０，５１，５２，５３は、図７に図示の実施例においては、４個所設けられているが、係止部２８、２９に設けられている貫通孔３０，３１に相当する位置に設けられていれば良いもので、２個設けられてあれば済むものである。
貫通孔を図７において、４個所設けたのは、キャップ５をカバー２と取付本体３の間に挟み込む際にキャップ５の向きを考慮せずに取り付けることができるよう、作業性を良くするためである。
【００３９】
この貫通孔５０，５１，５２，５３の外周には、図７に示されるように、ネジ３２に嵌合されるワッシャ３３と、ネジ３４に嵌合されるワッシャ３５を嵌め込むため、リング状の凹部で構成されるワッシャー挿入部５４，５５，５６，５７が設けられている。
このワッシャー挿入部５４，５５，５６，５７には、ネジ３２に嵌合されるワッシャ３３と、ネジ３４に嵌合されるワッシャ３５が嵌着するようになっている。このワッシャー挿入部５４，５５，５６，５７は、屋外から屋内に電力を供給する配線ケーブル７を装着したキャップ５をカバー２と取付本体３との間に収納する際に、ネジ３２に嵌合されるワッシャ３３と、ネジ３４に嵌合されるワッシャ３５を嵌着することによって、仮止めし、取付本体３に装着したキャップ５が取付本体３の装着位置から脱落しないように防止する作用を有している。
【００４０】
キャップ５の略長方形状の板状本体４８には、中央に円形状に開けられた電線挿通孔５８が１個設けられており、この電線挿通孔５８を挟んで長手方向に並んで左右に、電線挿通孔５８の径よりも小さい径の大きさの電線挿通孔５９，６０の２個が設けられている。
図７のように電線挿通孔５９，６０の径が電線挿通孔５８の径よりも小さい径に形成されているのは、保護パイプ８に収納される屋外から屋内に電力を供給する配線ケーブル７の径に大小あるからである。
【００４１】
この電線挿通孔５８，５９，６０には、カバー２内に取り込まれる複数の配線ケーブル７を電線挿通孔５８，５９，６０の径に合わせてそれぞれ分けて挿通するようになっている。
キャップ５の板状本体４８の電線挿通孔５８，５９，６０は、当初から空いているのではなく、使用時に配線ケーブル７の径の大きさに合わせて、開口するようになっている。
【００４２】
次に、本体ケーシング４を構成するカバー２と取付本体３に、キャップ５を組み付けて形成するエントランスキャップ１の装着について説明する。
まず、ケーブル引き込み口に取り付けられている配線ケーブル７を本体ケーシング４の取付本体３の筒状のパイプ接続部６内に通す。そして、取付本体３のパイプ接続部６を止め金具９によって建屋の屋外の壁面１０に取り付けられている保護パイプ８に接続する。
次に、パイプ接続部６の上方から突出する配線ケーブル７をキャップ５の電線挿通孔４５，４６，４７に貫挿する。しかる後、図８に示す如く、取付本体３の係止部２８にネジ３２を装着し、取付本体３の係止部２９にネジ３４を装着する。そして、このネジ３２にワッシャ３３を嵌め込み、ネジ３４にワッシャ３５を嵌め込む。
【００４３】
次に、図９に示す如く、配線ケーブル７を貫挿したキャップ５の下端縁を取付本体３の段差部２７の上に載置し、ネジ３２をキャップ５の下側の貫通孔３７に貫挿し、ネジ３４をキャップ５の下側の貫通孔３９に貫挿する。そして、ネジ３２に嵌め込まれているワッシャ３３をワッシャー挿入部４１に嵌着し、ネジ３４に嵌め込まれているワッシャ３５をワッシャー挿入部４３に嵌着する。
このようにネジ３２，３４をキャップ５の下側の貫通孔３７，３９に貫挿し、ワッシャ３３，３５をワッシャー挿入部４１，４３に嵌着することによって取付本体３とキャップ５とを仮止めすることができる。この仮止めによってキャップ５を載置した取付本体３の段差部２７の上から脱落するのを防止している。
【００４４】
そして、図９に示す如く、カバー２の背壁部１６の略Ｖ字状開放側の端部２１の先端部２１ａに設けられている係合溝２３に、取付本体３のパイプ接続部６が形成されている側の端部２５を係合する。しかる後、図１０の矢印Ａに示す如く、カバー２を、係合溝２３を支点にしてカバー２の側壁部１１，側壁部１２、上壁部１４が取付本体３の係止部２８，２９に向けて近づくように回動させる。
このときカバー２は、取付本体３のパイプ接続部６が形成されている側の端部２５に係合溝２３が係合しているため、取付本体３の係合部から外れることがない。したがって、キャップ５は、カバー２の段差部１７と、段差部１８と、段差部１９と、取付本体３の係止部２８，２９との間に挟持される。
【００４５】
しかる後、ネジ３２をカバー２の背壁部１６の内側の側面部の段差部１７と面一の位置に設けられているネジ受け部１７ａに螺合し、ネジ３４をカバー２の背壁部１６の内側の側面部の段差部１８と面一の位置に設けられているネジ受け部１８ａに螺合して締め付ける。
このようにカバー２の背壁部１６の端部２１に係合溝２３を形成し、この係合溝２３を取付本体３のパイプ接続部６が形成されている側の端部２５に係合し、この係合溝２３を支点としてカバー２の背壁部１６を覆い被せるため、カバー２内に収納される配線ケーブル７の太さが太くても、硬度が高くても容易にカバー２を覆い被せることができる。
また、取付本体３の係止部２８，２９を前方からネジ３２、３４によってネジ止めすることができるため、エントランスキャップ１の取付を容易にすることができる。
【００４６】
この他、本発明は本発明の主旨を変えない範囲で種々変更実施可能なことは勿論である。
【符号の説明】
【００４７】
１…………………………エントランスキャップ
２…………………………カバー
３…………………………取付本体
４…………………………本体ケーシング
５…………………………キャップ
６…………………………パイプ接続部
７…………………………配線ケーブル
８…………………………保護パイプ
９…………………………止め金具
１０………………………壁面
１１，１２………………側壁部
１３………………………挿通口
１４………………………上壁部
１５………………………庇部
１６………………………背壁部
１７，１８，１９………段差部
１７ａ，１８ａ…………ネジ受け部
２１………………………端部
２２………………………突出部
２３………………………係合溝
２８，２９………………係止部
３０，３１………………貫通孔
３２，３４………………ネジ
３３，３５………………ワッシャ
４１，４３………………ワッシャー挿入部
４５，４６，４７………電線挿通孔
【図１】
2018007416.tif 000003
【図２】
2018007416.tif 000004
【図３】
2018007416.tif 000005
【図４】
2018007416.tif 000006
【図５】
2018007416.tif 000007
【図６】
2018007416.tif 000008
【図７】
2018007416.tif 000009
【図８】
2018007416.tif 000010
【図９】
2018007416.tif 000011
【図１０】
2018007416.tif 000012
【図１１】
2018007416.tif 000013